(57)【要約】【課題】貨幣の入金処理及び出金処理を行う貨幣入出金装置において、装置内在高と実際の在高との差異を許容しつつも、装置内在高の正確な管理を行う。【解決手段】貨幣入出金装置（入出金機１）は、収納部３に収納する貨幣を計数すると共に、収納部から繰り出した貨幣を計数することによって、収納部の在高を逐次取得するように構成された在高取得手段７５と、装置内に存在しないものの、装置内に存在する貨幣として取り扱うべき紙幣の在高を仮想的な在高として設定するように構成された仮想在高設定手段７６と、在高取得手段が取得している収納部在高と、仮想在高設定手段が設定している仮想在高との合計を、装置内の在高として管理するように構成された装置内在高管理手段７７とを備えている。【選択図】図３
2014106791.tif 000002
【特許請求の範囲】
【請求項１】
少なくとも貨幣の入金処理及び出金処理を実行する貨幣入出金装置であって、
装置内に設けられかつ、前記貨幣を収納可能に構成されると共に、収納している貨幣を繰り出し可能に構成された、少なくとも１の収納部と、
前記収納部に収納する貨幣を計数すると共に、前記収納部から繰り出した貨幣を計数することによって、前記収納部の在高を逐次取得するように構成された在高取得手段と、
前記装置内に存在しないものの、前記装置内に存在する貨幣として取り扱うべき貨幣の在高を仮想的な在高として設定するように構成された仮想在高設定手段と、
前記在高取得手段が取得している前記収納部の在高と、前記仮想在高設定手段が設定した仮想在高との合計を、前記装置内の在高として管理するように構成された装置内在高管理手段と、を備えている貨幣入出金装置。
【請求項２】
前記収納部の在高を、所定処理を実行することによって確定するよう構成された在高確定手段と、
前記在高確定手段が前記所定処理を実行する前に、前記在高取得手段が取得していた前記収納部内の在高と、前記所定処理の実行によって確定した前記収納部の在高とを比較するよう構成された在高比較手段と、をさらに備え、
前記仮想在高設定手段は、前記在高比較手段の比較の結果、前記所定処理の実行によって確定した前記収納部の在高の方が少ない場合には、その差分を前記仮想在高に設定する請求項１に記載の貨幣入出金装置。
【請求項３】
前記装置内在高管理手段は、前記在高比較手段の比較の結果、前記所定処理の実行によって確定した前記収納部の在高の方が多い場合には、その差分に相当する入金処理が行われたとみなして、前記装置内の在高を更新する請求項２に記載の貨幣入出金装置。
【請求項４】
前記在高確定手段は、前記所定処理として、前記収納部に収納している貨幣の少なくとも一部を繰り出すことにより当該収納部の在高を確認する精査処理を行う請求項２又は３に記載の貨幣入出金装置。
【請求項５】
前記在高確定手段は、前記入金処理又は前記出金処理の最中に当該処理が障害によって中断したときに、当該障害要因の復旧後に、前記精査処理を行う請求項４に記載の貨幣入出金装置。
【請求項６】
前記在高確定手段は、前記所定処理として、前記精査処理の終了後に、装置外の貨幣を入金口に再度投入させると共に、当該貨幣を計数しながら前記収納部に収納する戻し処理をさらに実行する請求項４又は５に記載の貨幣入出金装置。
【請求項７】
前記貨幣は紙幣であり、
前記収納部に収納している紙幣の収納順に、各々の前記紙幣に設定されている固有のコードを並べたコードリストを管理するリスト管理手段をさらに備え、
前記精査処理は、前記収納部に収納している前記紙幣の一部を繰り出すと共に、当該繰り出した紙幣のコードと前記コードリストとを照合することによって、前記紙幣の繰り出し後に前記収納部に収納している紙幣の在高を確認する請求項４乃至６のいずれか１項に記載の貨幣入出金装置。
【請求項８】
上位装置との通信を行うよう構成された通信手段をさらに備え、
前記装置内在高管理手段は、前記収納部の在高と前記仮想在高とを区別することなく、前記通信手段を介して、前記上位装置に前記装置内の在高情報を送信する請求項１に記載の貨幣入出金装置。
【請求項９】
上位装置との通信を行うよう構成された通信手段をさらに備え、
前記装置内在高管理手段は、前記収納部の在高と前記仮想在高とを区別して、前記通信手段を介して、前記上位装置に前記装置内の在高情報を送信する請求項１に記載の貨幣入出金装置。
【請求項１０】
少なくとも貨幣の入金処理及び出金処理を実行する貨幣入出金装置の貨幣管理方法であって、
装置内に設けられた収納部に収納する貨幣を計数すると共に、前記収納部から繰り出した貨幣を計数することによって、前記収納部の在高を逐次取得するステップ、
前記装置内に存在しないものの、前記装置内に存在する貨幣として取り扱うべき貨幣の在高を仮想的な在高として設定するステップ、及び、
前記取得している前記収納部の在高と、前記設定している仮想在高との合計を、前記装置内の在高として管理するステップを備えている貨幣管理方法。
【発明の詳細な説明】
【技術分野】
【０００１】
ここに開示する技術は、貨幣入出金装置及び貨幣入出金装置の貨幣管理方法に関する。
【背景技術】
【０００２】
特許文献１には、金融機関等で使用される紙幣入出金機において、収納部に収納している紙幣を全て繰り出して一時的に別の収納部に収納する際か、又は、その別の収納部から元の収納部に紙幣を再収納する際に、紙幣を計数することにより、当該収納部の在高を確認する精査処理を行うことが記載されている。こうした精査処理を行うことは、特許文献１にも記載されているように、収納部の在高と、入金及び出金等の取引データとの照合を可能にする。
【０００３】
特許文献２には、ＰＯＳレジスタに接続される紙幣用釣銭機や硬貨用釣銭機といった貨幣入出金装置において、入金処理中や出金処理中に障害が発生したときに、貨幣の戻し処理を行うことが記載されている。この戻し処理は、障害の発生後に入出金機を一時停止させ、オペレータが装置内の残留貨幣を取り除いて復旧した後に行う処理であり、オペレータが、取り除いた残留貨幣を含む戻し処理の対象貨幣を入金口に投入すると共に、入出金機が、投入された貨幣を計数しながら収納部に収納する。特許文献２に記載された入出金機では、収納部を含む装置内に存在する貨幣の在高を示す第１在高データと、収納部に存在する貨幣の在高を示す第２在高データとを管理しており、戻し処理の際には、第１在高データと第２在高データとが等しくなるまでは、投入された貨幣の計数結果に基づいて第２在高データのみを更新する一方、第１在高データと第２在高データとが等しくなった後には、投入された貨幣の計数結果に基づいて第１及び第２在高データの双方を更新するようにしている。これにより特許文献２の入出金装置では、違算の発生を回避する。
【先行技術文献】
【特許文献】
【０００４】
【特許文献１】特開２００９−１５１３５４号公報
【特許文献２】特開２０１０−７２８１２号公報
【発明の概要】
【発明が解決しようとする課題】
【０００５】
ところで、特許文献２の入出金装置のように、入金処理や出金処理時に、紙幣の詰まり等の障害が発生して処理が中断してしまった後に、戻し処理を行おうとしても、紙幣が破れてしまったりしたときには、当該紙幣を戻すことができない場合も起こり得る。その場合、従来においては、破れた紙幣の代わりにする代替紙幣を用意して、その代替紙幣を、戻し処理によって収納部に収納するようにしている。しかしながら、そうした代替紙幣を、直ぐに準備することができないような場合は、入出金装置の障害復旧が遅れてしまう。障害復旧の遅れは、入出金装置が、例えば金融機関等の窓口に設置されている場合には、窓口業務の停滞を招くことにもなる。
【０００６】
このような問題は、入出金装置が管理している装置内在高と、収納部等の装置内に存在している紙幣の実際の在高との間に差異が生じることによって生まれる。従来の入出金装置では、収納部に紙幣を収納させることで、在高の差異がなくなるようにしなければならなかった。しかしながら、入出金装置において装置内在高の正確な管理を可能にしつつ、そうした在高の差異を許容することができるようにすれば、例えば障害が発生したときでも、その障害復旧を、より一層速やかに行うことができると考えられる。
【０００７】
ここに開示する技術は、かかる点に鑑みてなされたものであり、その目的とするところは、貨幣の入金処理及び出金処理を行う貨幣入出金装置において、装置内在高と実際の在高との差異を許容しつつも、装置内在高の正確な管理を行うことにある。
【課題を解決するための手段】
【０００８】
ここに開示する技術は、様々な理由によって、入出金装置の装置内には存在しないものの、装置内に存在する貨幣として取り扱うべき貨幣の在高を、仮想的な在高として設定し、収納部の在高と、設定した仮想在高との合計を装置内在高として管理することにより、装置内在高と実際の在高との差異を許容しつつも、装置内在高の正確な管理を行うようにした。
【０００９】
具体的に、ここに開示する技術は、少なくとも貨幣の入金処理及び出金処理を実行する貨幣入出金装置に係り、この貨幣入出金装置は、装置内に設けられかつ、前記貨幣を収納可能に構成されると共に、収納している貨幣を繰り出し可能に構成された、少なくとも１の収納部と、前記収納部に収納する貨幣を計数すると共に、前記収納部から繰り出した貨幣を計数することによって、前記収納部の在高を逐次取得するように構成された在高取得手段と、前記装置内に存在しないものの、前記装置内に存在する貨幣として取り扱うべき貨幣の在高を仮想的な在高として設定するように構成された仮想在高設定手段と、前記在高取得手段が取得している前記収納部の在高と、前記仮想在高設定手段が設定した仮想在高との合計を、前記装置内の在高として管理するように構成された装置内在高管理手段と、を備えている。
【００１０】
ここで、仮想在高設定手段は、後述の通り、例えば所定処理を実行することにより確認した収納部の在高に基づいて、仮想在高を自動的に設定するようにしてもよいし、オペレータが、操作部を通じて仮想在高を手動で入力するようにしてもよい。
【００１１】
前記の構成によると、在高取得手段が、収納部に収納する貨幣（例えば入金処理時等に収納部に収納する貨幣）を計数すると共に、収納部から繰り出した貨幣（例えば出金処理時等に収納部から繰り出した貨幣）を計数することによって、収納部在高を取得する一方で、仮想在高設定手段が、装置内には存在しないものの、装置内に存在する貨幣として取り扱うべき貨幣の在高を、仮想在高として設定する。収納部在高と仮想在高との合計を装置内在高として管理する。これによって、装置内在高と実際の在高との差異が生じているものの、その差異は仮想在高として把握しているため、装置内在高の正確な管理を行うことができる。このことは、様々な理由によって、装置内在高と実際の在高との差異が生じたときでも、その差異を許容しつつ、入出金装置の運用を継続することを可能にする。後述するように、例えば入金処理又は出金処理の最中に障害が発生したときに、その障害復旧を速やかに完了させることが可能になる。尚、仮想在高がゼロであれば、収納部の在高と装置内在高とは等しくなる。
【００１２】
前記貨幣入出金装置は、前記収納部の在高を、所定処理を実行することによって確定するよう構成された在高確定手段と、前記在高確定手段が前記所定処理を実行する前に、前記在高取得手段が取得していた前記収納部内の在高と、前記所定処理の実行によって確定した前記収納部の在高とを比較するよう構成された在高比較手段と、をさらに備え、前記仮想在高設定手段は、前記在高比較手段の比較の結果、前記所定処理の実行によって確定した前記収納部の在高の方が少ない場合には、その差分を前記仮想在高に設定する、としてもよい。
【００１３】
収納部の在高を確定するための所定処理を実行する前に、取得していた収納部内の在高と、その所定処理の実行によって得られた収納部の在高との間に差異が生じるときには、装置内在高と、収納部等の装置内に存在している貨幣の実際の在高との間に差異が生じている。所定処理の実行によって確定した収納部の在高の方が、所定処理の実行前に取得していた収納部内の在高よりも少ない場合には、その差分に相当する貨幣は、なんらかの理由によって装置内には存在しないものの、装置内に存在する貨幣として取り扱うべきとみなされる。そこで、当該差分を、仮想在高に設定することによって、装置内在高と実際の在高との差異を許容しつつも、装置内在高の正確な管理が可能になる。
【００１４】
前記装置内在高管理手段は、前記在高比較手段の比較の結果、前記所定処理の実行によって確定した前記収納部の在高の方が多い場合には、その差分に相当する入金処理が行われたとみなして、前記装置内の在高を更新する、としてもよい。
【００１５】
前記の構成とは逆に、所定処理の実行によって確定した収納部の在高の方が、所定処理の実行前に取得していた収納部内の在高よりも多い場合には、収納部に実際に収納している貨幣の在高の方が、装置内在高よりも多いため、装置内在高を実際の在高に合わせるべく、差分に相当する入金処理が行われたとみなして、装置内の在高を更新する。このことにより、装置内在高の正確な管理が可能になる。
【００１６】
前記在高確定手段は、前記所定処理として、前記収納部に収納している貨幣の少なくとも一部を繰り出すことにより当該収納部の在高を確認する精査処理を行う、としてもよい。
【００１７】
精査処理を行うことは、収納部に実際に収納している貨幣の在高を正確に把握することを可能にするから、仮想在高を正確に設定し、ひいては装置内在高を正確に管理する上で有利になる。
【００１８】
前記在高確定手段は、前記入金処理又は前記出金処理の最中に当該処理が障害によって中断したときに、当該障害要因の復旧後に、前記精査処理を行う、としてもよい。
【００１９】
入金処理又は出金処理の最中に、例えば装置内において貨幣（例えば紙幣）の詰まりが生じて、実行中の処理が中断したときには、詰まった貨幣を取り除く障害要因の復旧後、精査処理を実行する。精査処理の実行によって、障害の発生からその復旧が完了するまでの間に在高が未確定となった収納部に収納している貨幣の在高が確認される。
【００２０】
そうして、中断した処理の前、換言すれば精査処理の実行前に取得していた収納部内の在高と、精査結果である収納部の在高とを比較し、両者が一致しているときには、装置内在高と収納部に実際に収納している貨幣の在高とが同じであるため、そのまま入出金装置の運用を継続すればよいが、中断した処理の前に取得していた収納部内の在高と、精査結果である収納部の在高とが一致していないときには、入出金装置の運用をそのまま継続することができない。
【００２１】
つまり、精査結果である収納部の在高の方が、中断した処理の前に取得していた収納部内の在高よりも少ない場合には、前述した、装置内には存在しないものの、装置内に存在する貨幣として取り扱うべき貨幣が発生していることになり、差分を仮想在高に設定する。これに対し、精査結果である収納部の在高の方が、中断した処理の前に取得していた収納部内の在高よりも多い場合には、差分に相当する入金処理が行われたとみなして、装置内在高を更新する。
【００２２】
その結果、入金処理又は出金処理の最中に当該処理が障害によって中断したときには、装置内在高の管理を正確に行いつつも、入出金装置の運用を早期に復帰させることが可能になる。
【００２３】
前記在高確定手段は、前記所定処理として、前記精査処理の終了後に、装置外の貨幣を入金口に再度投入させると共に、当該貨幣を計数しながら前記収納部に収納する戻し処理をさらに実行する、としてもよい。
【００２４】
入金処理が中断した復旧後に、装置外に存在する貨幣には、装置内から取り出した貨幣及び入金しようとしていた貨幣が含まれる。従って、装置外の貨幣を収納部に収納する戻し処理を実行することによって、入出金装置は、当該入金処理を実行した後と等価の状態になる。一方、出金処理が中断した復旧後に、装置外に存在する貨幣には、装置内から取り出した貨幣及び中断前に既に出金されていた貨幣が含まれる。従って、装置外の貨幣を収納部に収納する戻し処理を実行することによって、入出金装置は、出金処理を実行する前と等価の状態になる。いずれにおいても、戻し処理を行った後に、精査結果に相当する収納部の在高と戻し処理時に計数した在高との合計の方が、中断前に取得していた収納部内の在高よりも小さいときには、なんらかの理由で装置内には存在しないものの、装置内に存在する貨幣として取り扱うべき貨幣が発生していることになる。そのため、差分（ここでは、中断前に取得していた収納部内の在高から、精査結果に相当する収納部の在高と戻し処理時に計数した在高との合計を差し引く）が、仮想在高に相当し得る。これに対し、精査結果に相当する収納部の在高と戻し処理時に計数した在高との合計の方が、中断前に取得していた収納部内の在高よりも多いときには、その差分に相当する貨幣の入金処理が行われたとみなし、装置内の在高を更新すればよい。
【００２５】
前記貨幣は紙幣であり、前記貨幣入出金装置は、前記収納部に収納している紙幣の収納順に、各々の前記紙幣に設定されている固有のコードを並べたコードリストを管理するリスト管理手段をさらに備え、前記精査処理は、前記収納部に収納している前記紙幣の一部を繰り出すと共に、当該繰り出した紙幣のコードと前記コードリストとを照合することによって、前記紙幣の繰り出し後に前記収納部に収納している紙幣の在高を確認する、としてもよい。
【００２６】
こうすることで精査処理の実行に際し、収納部に収納している紙幣をすべて繰り出す必要が無くなるから、精査処理に要する時間が短縮する。このことは、例えば入金処理又は出金処理が障害によって中断したときには、入出金装置を早期に復帰させる上で有利である。
【００２７】
前記貨幣入出金装置は、上位装置との通信を行うよう構成された通信手段をさらに備え、前記装置内在高管理手段は、前記収納部の在高と前記仮想在高とを区別することなく、前記通信手段を介して、前記上位装置に前記装置内の在高情報を送信する、としてもよい。
【００２８】
こうすることで、貨幣入出金装置の外部装置である上位装置は、当該貨幣入出金装置において仮想在高が設定されていたとしても、その仮想在高を認識することなく、各種の処理を実行することになる。
【００２９】
また、これとは異なり、前記装置内在高管理手段は、前記収納部の在高と前記仮想在高とを区別して、前記通信手段を介して、前記上位装置に前記装置内の在高情報を送信する、としてもよい。
【００３０】
こうすることで、上位装置も、貨幣入出金装置と同様に、当該貨幣入出金装置内に実際に存在しないものの、装置内に存在する貨幣として、仮想在高を把握することになる。
【００３１】
ここに開示する技術はまた、少なくとも貨幣の入金処理及び出金処理を実行する貨幣入出金装置の貨幣管理方法である。この方法は、装置内に設けられた収納部に収納する貨幣を計数すると共に、前記収納部から繰り出した貨幣を計数することによって、前記収納部の在高を逐次取得するステップ、前記装置内に存在しないものの、前記装置内に存在する貨幣として取り扱うべき貨幣の在高を仮想的な在高として設定するステップ、及び、前記取得している前記収納部の在高と、前記設定している仮想在高との合計を、前記装置内の在高として管理するステップを備えている。
【００３２】
収納部の在高と仮想在高との合計を、装置内の在高として管理することにより、装置内在高と実際の在高との差異を許容しつつも、装置内在高の正確な管理が可能になる。
【発明の効果】
【００３３】
以上説明したように、前記の貨幣入出金装置及び貨幣入出金装置の貨幣管理方法によると、仮想的な在高を設定することで、装置内在高と実際の在高との差異を許容しつつも、装置内在高の正確な管理を行うことができる。
【図面の簡単な説明】
【００３４】
【図１】紙幣入出金機の概略斜視図である。
【図２】紙幣入出金機の内部構造を示す概略図である。
【図３】紙幣入出金機及び上位装置の動作制御に係る構成を示す図である。
【図４】紙幣入出金機における入金処理の動作説明図である。
【図５】紙幣入出金機における出金処理の動作説明図である。
【図６】紙幣入出金機における精査処理の動作説明図である。
【図７】部分精査処理を説明する図である。
【図８】障害復旧に係る制御手順を示すフローチャートである。
【図９】入金処理が中断した場合における装置内在高、収納部内在高、仮想在高、及び一時保留部在高の遷移の一例を説明する図である。
【図１０】出金処理が中断した場合における装置内在高、収納部内在高、仮想在高、及び一時保留部在高の遷移の一例を説明する図である。
【発明を実施するための形態】
【００３５】
以下、貨幣入出金装置の実施形態を図面に基づいて説明する。尚、以下の実施形態の説明は例示である。図１は、紙幣入出金機（以下、単に入出金機という）１の外観を示している。この入出金機１は、例えば銀行のテラーカウンターに設置されかつ、この入出金機１を挟んだ左右二人のテラーによって共用で使用される。このため、この入出金機１は、基本的には左右対称に構成されている。
【００３６】
この入出金機１は、詳しくは後述するが、入金口２１１に投入された紙幣を収納部３に収納する入金処理、及び、収納部３に収納している紙幣を出金口２３１に払い出す出金処理を少なくとも実行する。この入出金機１は、いわゆる循環式の入出金機であり、出金処理時に払い出す紙幣には、入金処理時に収納部３に収納した紙幣が含まれる。
【００３７】
入出金機１は、図１及び２に示すように、上部の処理部１１と、中間部の第１金庫部１３と、下部の第２金庫部１４とに大別される。処理部１１を構成する筐体１１１内には、入金口２１１を有する入金部２１と、出金口２３１を有する出金部２３と、紙幣の識別を行う識別部２５と、一時的に紙幣を収納する出金リジェクト一時保留部（以下、単に一時保留部という場合がある）５１と、入金部２１、出金部２３、識別部２５及び一時保留部５１を相互に連結するループ搬送路４１１を含む搬送部４１と、が配設されている。一方、処理部１１を構成する筐体１１１の下側に配置される筐体１３１は、第１及び第２金庫部１３、１４を構成する筐体であり、その内部に格納している収納部３等を、所定以上のセキュリティレベルで防護するように構成された防護筐体１３１である。
【００３８】
第１金庫部１３には、複数の（図例では５個の）スタック式の収納カセット３１を含んで構成された収納部３が配設され、第２金庫部１４には、回収カセット５３が配設されている。防護筐体１３１の前面には、第１金庫部１３を開閉するための第１開閉扉１３３と、第２金庫部１４を開閉するための第２開閉扉１３５とがそれぞれ個別に設けられており、第１及び第２開閉扉１３３、１３５には、別の電子錠１３３１、１３３２が設けられることによって、第１金庫部１３のアクセス権限と、第２金庫部１４のアクセス権限とは、互いに異なっている。
【００３９】
入金部２１の入金口２１１は、前述したように、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、ループ搬送路４１１に繰り出す繰り出し機構を備えている。
【００４０】
出金部２３の出金口２３１は、前述したように、例えば出金処理の際に紙幣を払い出すための口である。この出金口２３１は、入金口２１１よりも装置手前側（図２の紙面右側）の、処理部側筐体１１１における上面から前面にかけての位置で、斜め上方に向かって開口している。出金口２３１は、搬送されてきた紙幣を集積し、複数枚の紙幣を一度に保持可能に構成されている。
【００４１】
識別部２５は、ループ搬送路４１１上に配設されて、そのループ搬送路４１１に沿って搬送される紙幣の一枚一枚について、その真偽、金種及び正損を識別するように構成されている。具体的には、画像センサ、赤外線センサ、紫外線センサ、及び磁気センサ等の、紙幣の特徴を取得するセンサを搭載し、搬送される紙幣の特徴が、記憶している各種紙幣の特徴と一致するかを判定し、金種、真偽、及び正損を識別する。識別部２５はまた、紙幣に印字されている記番号を光学的に読み取る機能を有している。ここで、記番号の読み取りは、紙幣における所定の位置に印字されている記番号の画像を取得し、その取得した画像に基づいて、記番号の各桁の文字や数字を認識することである。尚、識別部２５が記番号の読み取りを行うのではなく、識別部２５とは別の読取部を、例えばループ搬送路４１１上に配置してもよい。また、識別部２５におけるセンサ以外の機能を、後で述べる制御部５１３が行ってもよい。
【００４２】
搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図示は省略するが、多数のローラ、複数のベルト、これらを駆動するモータ、搬送される紙幣を検出するセンサ及び複数のガイドの組み合わせによって構成されている。ループ搬送路４１１は、その搬送路に沿って、紙幣と紙幣との間に所定間隔を隔てた状態で、紙幣を一枚ずつ短手搬送する。
【００４３】
ループ搬送路４１１と入金口２１１との間は、投入路４１３によって互いに接続されており、入金口２１１に投入された紙幣は、この投入路４１３を通ってループ搬送路４１１まで搬送される。
【００４４】
ループ搬送路４１１には、後述する第１〜第４の４つの収納カセット３１のそれぞれに接続される分岐路４１７が、図示省略の分岐機構を介して接続されており、各分岐機構の動作制御によって、ループ搬送路４１１上を搬送されている紙幣が選択的に、分岐路４１７を通じて４つの収納カセット３１のいずれかに搬送されてそこに収納されると共に、いずれかの収納カセット３１から繰り出された紙幣が、分岐路４１７を介してループ搬送路４１１に搬送されるようになる。
【００４５】
ループ搬送路４１１にはまた、払出路４１５が、紙幣の搬送方向を切り替える分岐機構（図示省略）を介して接続されている。払出路４１５の先端は、出金口２３１に接続されている。分岐機構は、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。この構成によって、ループ搬送路４１１上を搬送されている紙幣は、分岐機構の動作制御によって選択的に、払出路４１５を通って出金口２３１に搬送される。
【００４６】
ループ搬送路４１１にはさらに、後述する第５収納カセット３１−５に接続される第１接続路４１８と、回収カセット５３に接続される第２接続路４１９とが、それぞれ図示省略の分岐機構を介して接続されている。この内、第２接続路４１９は、第１金庫部１３を上下に貫通するように延びて配設されており、その途中に分岐路４１１０が設けられている。この分岐路４１１０は、後述する第４収納カセット下部３１−４Ｌに接続されている。
【００４７】
これら第１接続路４１８及び第２接続路４１９の接続位置に設けられた各分岐機構もまた、互いに異なる３方向に延びる搬送路の集合位置において、所定方向から搬送されてくる紙幣を、それとは別の２方向それぞれに選択的に搬送させるように動作する。この構成によって、ループ搬送路４１１上を時計回り方向又は反時計回りに搬送されている紙幣は、分岐機構の動作制御によって選択的に、第１接続路４１８を通って第５収納カセット３１−５に搬送されるか、第２接続路４１９を通って、第４収納カセット下部３１−４Ｌ又は回収カセット５３に搬送される。また、第５収納カセット３１−５又は第４収納カセット下部３１−４Ｌから繰り出されかつ、第１又は第２接続路４１８、４１９を通って搬送されてきた紙幣が、ループ搬送路４１１上で時計回り又は反時計回り方向に搬送される。
【００４８】
収納部３は、前述したように、図例では第１−第５のスタック式の収納カセット３１を含んで構成されている。ここで、以下の説明において、各々の収納カセットを総称する場合には、符号「３１」を付し、第１、第２、第３…の、各々の収納カセットを区別する場合には、符号「３１−１、３１−２、３１−３…」を付す。尚、収納カセット３１の数は特に限定されず、１個以上で、適宜の数を設定すればよい。５個の収納カセット３１は、この例では、装置の奥行き方向（図２の紙面左右方向）に並んで配設されている。第４収納カセット３１−４と第５収納カセット３１−５との間には、第２接続路４１９が配設される。詳細な図示は省略するが、収納部３は、第１金庫部１３の開閉扉１３３を開けた状態で、装置の手前に引き出し可能であり、収納部３を引き出した状態で、各収納カセット３１はそれぞれ、装置に対して着脱することが可能に構成されている。
【００４９】
第１−第３及び第５収納カセット３１−１、３１−２、３１−３、３１−５は、互いにほぼ同じ構成であり、上下方向に細長い形状を有している。各収納カセット３１の上面には、紙幣の通過が可能な出入口が、カセットの内外を連通するように形成されており、その出入口には、前述した分岐路４１７又は第２接続路４１９が接続されている。各収納カセット３１の内部には、収納時又は繰り出し時に出入口を通過する紙幣を検知する通過センサ３１２と、そこに集積される紙幣の量に応じて昇降する集積台３１１とが配設されている。こうして、第１−第３及び第５収納カセット３１−１、３１−２、３１−３、３１−５は、ループ搬送路４１１から、各カセットの出入口を通ってその内部に送り込まれた紙幣を、集積台３１１の上で、下から上の順に積み重ねて収納するように構成されていると共に、集積台３１１上に積み重ねられた紙幣を上から下の順に一枚ずつ出入口を通じてカセット外に、つまりループ搬送路４１１に繰り出すことが可能に構成されている。
【００５０】
これに対し、第４収納カセット３１−４は、その内部に仕切りが設けられており、これによって第４収納カセット３１−４は、上側のカセット上部（第４収納カセット上部３１−４Ｕ）と、下側のカセット下部（第４収納カセット下部３１−４Ｌ）に分割されている。第４収納カセット上部３１−４Ｕの出入口は、その上面に形成されている一方、第４収納カセット下部３１−４Ｌの出入口は、その側面に形成されている。収納カセット上部３１−４Ｕの出入口には、ループ搬送路４１１から分岐した分岐路４１７が接続され、収納カセット下部３１−４Ｌの出入口には、第２接続路４１９から分岐した分岐路４１１０が接続されている。これにより、第４収納カセット上部３１−４Ｕは、ループ搬送路４１１から出入口を通ってその内部に送り込まれた紙幣を、集積台３１１の上で、下から上の順に積み重ねて収納するように構成されていると共に、集積台３１１上に積み重ねられた紙幣を上から下の順に一枚ずつ出入口を通じてループ搬送路４１１に繰り出すことが可能に構成されている。これに対し、第４収納カセット下部３１−４Ｌは、ループ搬送路４１１から、第２接続路４１９、分岐路４１１０及び出入口を通ってその内部に送り込まれた紙幣を、集積台３１１の上で、下から上の順に積み重ねて収納するように構成されていると共に、集積台３１１上に積み重ねられた紙幣を上から下の順に一枚ずつ出入口、分岐路４１１０及び第２接続路４１９を通じてループ搬送路４１１に繰り出すことが可能に構成されている。
【００５１】
出金リジェクト一時保留部５１は、第３払出路４１１１に接続されている。この一時保留部５１は、詳しくは後述するが、例えば出金処理時に発生したリジェクト紙幣を一時的に収納する収納部である。一時保留部５１は、スタック式の収納カセット３１等とは異なり、巻き取り方式に構成されている。巻き取り方式の一時保留部は、概略矩形箱状の筐体内に、紙幣をガイドする一枚のテープ、ガイド部材、及び、紙幣と共にテープを巻き取るリールを備えて構成されるか（例えば特開２０００−１２３２１９号公報を参照）又は、国際公開２０１１／０３６７８２号に例示されるように、筐体内に、紙幣を挟む２枚のテープ、及び、紙幣を挟み込んだ２枚のテープを巻き取るリールを備えて構成される。いずれの構成においても、巻き取り方式の一時保留部は、紙幣を一枚ずつ巻き取って収納すると共に、その収納した順番とは逆順で、紙幣を一枚ずつ繰り出す、いわゆる先入れ後出しとなるように紙幣を収納する。
【００５２】
回収カセット５３は、第２金庫部１４内に着脱可能に取り付けられており、前述したように、第２接続路４１９を介してループ搬送路４１１に接続されている。回収カセット５３はスタック式の収納部であるが、前述した収納カセット３１とは異なり、装置の奥行き方向に細長い形状を有しており、図示は省略するが、その内部に奥行き方向に移動する札押さえを備えている。回収カセット５３は、その札押さえが紙幣の収納量に応じて移動をしながら、立てた姿勢の紙幣を奥行き方向に並べるように収納するよう構成されている。
【００５３】
回収カセット５３はまた、収納カセット３１とは異なり、収納している紙幣を繰り出し不可に構成されており、回収カセット５３には、例えば入金処理時に入金口２１１に投入された紙幣の内、収納部３に収納しきれなかったオーバーフロー紙幣が収納される。また、出金処理時等に識別不可であったリジェクト紙幣が、この回収カセット５３に収納される場合がある。
【００５４】
図３は、入出金機１の動作制御に係る構成を示している。入出金機１は、例えば周知のマイクロコンピュータをベースとした制御部５１３を備えている。制御部５１３には、前述した入金部２１、出金部２３、第１−第５収納カセット３１を含む収納部３、出金リジェクト一時保留部５１、回収カセット５３、及び搬送部４１が、信号の送受信可能に接続されている。これらの各部２１，２３，３，４１，５１，５３は、例えば図２に示す、収納カセット３１及び回収カセット５３の出入口に設けられかつ、紙幣の通過を検知する通過センサ３１２のような、搬送中の紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，５１，５３は、その制御信号に従って動作をする。
【００５５】
制御部５１３にはまた、識別部２５が接続されており、識別部２５は、識別結果及び記番号の読み取り結果を制御部５１３に提供する。さらに、図１等では図示を省略するが、テラー等の、この入出金機１を操作するオペレータに対するヒューマンインターフェース部分としての操作部５５、入出金機１が、例えばＬＡＮやシリアルバスを通じて、上位装置６及びその他の機器との間で信号の送受信を行うための通信部５７、及び、各種の情報を記憶するための、例えばハードディスクドライブやフラッシュメモリ等の汎用のストレージデバイスにより構成される記憶部５９がそれぞれ、入出金機１に接続されている。
【００５６】
記憶部５９は、入出金機１が収納している紙幣の金種別枚数又は金額である装置内在高を記憶する。装置内在高は、入金処理や出金処理が完了したときに上位装置６からのコマンドに基づいて更新する。また、記憶部５９は、装置内在高とは別に、収納カセット３１毎の在高（収納部在高）及び出金リジェクト一時保留部の在高（一時保留部在高）も記憶する。具体的に、収納部在高や一時保留部在高は、各カセット等への紙幣の収納時及び各カセット等からの紙幣の繰出時に、リアルタイムに紙幣のカウントを行って増減する。また、詳細は後述するが、この入出金機１では、入出金機１の装置内には存在しないものの、装置内に存在する紙幣として取り扱うべき紙幣の在高を、仮想的な在高（つまり、仮想在高）として設定し、記憶部５９に記憶するようにしている。
【００５７】
さらに、この入出金機１では、紙幣の管理を、記番号を利用して行うように構成されており、記憶部５９は、各部に収納している紙幣の記番号を、その収納順に並べると共に、各々の記番号を、その収納枚数に対応する通し番号を紐付けした記番号リスト（つまり、コードリスト）を記憶している（図７も参照）。記番号を利用した管理についての詳細は後述する。
【００５８】
入出金機１には、各種の情報を表示するための、例えばフラットパネルディスプレイからなる表示部５１１がオプション機器として装着可能に構成されており、この表示部５１１もまた、制御部５１３に接続される。表示部５１１をタッチパネル式のディスプレイとして、表示部５１１と操作部５５とを一体にしてもよい。
【００５９】
制御部５１３は、通信部５７を通じて受けた上位装置６からの指令、及び／又は、操作部５５を通じて受けた各種の指令に応じて、各部２１，２３，２５，３，４１，５１，５３，５５，５７，５９，５１１の動作を制御する。このことにより、入出金機１は、以下に説明する入金処理、出金処理、及び精査処理を含む、各種処理を行う。つまり、制御部５１３は、以下に説明する入金処理、出金処理、精査処理、及び、戻し処理の各処理を実行するための機能手段として、入金処理手段７１、出金処理手段７２、精査処理手段７３及び戻し処理手段７４を備えている。制御部５１３はまた、前述した、収納部在高等を取得するための機能手段である在高取得手段７５、仮想在高を設定するための機能手段である仮想在高設定手段７６、装置内在高を管理するための機能手段である装置内在高管理手段７７をさらに備えている。また、詳細は後述するが、装置内在高管理手段７７が管理している装置内在高と、精査処理手段７３による精査処理等の実行によって確定した在高とを比較するための機能手段である在高比較手段７８、及び、記番号リストを管理するための機能手段であるリスト管理手段７９を、制御部５１３は備えている。入出金機１において実行した各種の処理の履歴は、記憶部５９にログとして記憶される。
【００６０】
上位装置６は、図３に示すように、制御部６１、表示部６２、操作部６３、通信部６４、及び記憶部６５を備えている。表示部６２は、各種の情報等をオペレータ（例えばテラー）に対して表示し、操作部６３は、オペレータが操作をすることによって各種の情報等を制御部６１に入力する。通信部６４は、入出金機１を含む各種機器との間で信号の送受信を行う。記憶部６５は、各種の情報を記憶し、ここに記憶する情報には、入出金機１を利用して実行した処理（例えば入金処理や出金処理等）を含む各種の処理の履歴（つまり、ログ）が含まれる。また、記憶部６５は、後述するように、入出金機１から提供された装置内在高の情報も記憶する。
【００６１】
（入金処理）
入金処理は、入出金機１に紙幣を入金（収納）する処理であり、入金処理手段７１が実行する。入金処理では、入金口２１１に投入された紙幣は、識別部２５による識別結果と、予め設定された収納割当とに従って、いずれかの収納カセット３１に収納される。より詳細に、入出金機１は、入金処理の際には、次のように動作する。すなわち、入金する紙幣を入金口２１１に投入した状態で、例えば上位装置６及び／又は操作部５５の操作によって入金処理の開始コマンドを、入出金機１に入力する。入金部２１の繰り出し機構は、図４に実線の矢印で示すように、入金口２１１の紙幣を一枚ずつ繰り出し、搬送部４１は、各紙幣を識別部２５に搬送する。識別部２５は、その紙幣の識別を行うと共に、計数を行う。このときに、記番号の読み取りをリアルタイムに行う。
【００６２】
搬送部４１はまた、識別部２５によって正常に識別された紙幣（この紙幣を、リジェクト紙幣の対の名称として正常紙幣と呼ぶ）であって、記番号を全桁読み取ることができた紙幣を、図４に実線の矢印で示すように、その識別結果及び予め設定された収納割当に従って、所定の収納カセット３１に収納する。すなわち、各紙幣は、金種別や正損別に応じて、第１−第５のいずれかの収納カセット３１に収納される。このように、この入出金機１では、入金処理時には、紙幣を直接的に収納カセット３１に収納することになる。在高取得手段７５は、各収納カセット３１に紙幣が収納されることに応じて、収納部在高を更新する。尚、収納カセット３１に割り当てられていない金種の紙幣（正常紙幣）や損券は回収カセット５３に収納される。また、割り当てられている収納カセット３１が満杯であるとき等にも、回収カセット５３に正常紙幣が収納される。
【００６３】
一方、搬送部４１は、識別部２５において真偽の識別ができない紙幣等、入出金機１がそのまま受け入れることができないリジェクト紙幣を、図４に破線の矢印で示すように、出金口２３１に払い出す。尚、入金処理時に発生したリジェクト紙幣は、入金口２１１に再度投入され、識別部２５による識別が、もう一度行われることになる。
【００６４】
そうして、入金処理の終了後には、装置内在高管理手段７７が、上位装置６からのコマンドに従って記憶部５９に記憶している装置内在高を更新する。それと共に、リスト管理手段７９は、各収納カセット３１に収納している紙幣の記番号を収納順に並べた記番号リストを、紙幣の収納に応じて更新する。この記番号リストにおける記番号の並びは、紙幣が識別部２５を通過した順番に従うことになる。
【００６５】
尚、入金処理時に、入金口２１１に投入された紙幣を全て（但し、正常紙幣）、一旦、一時保留部５１に収納することによって計数を行い、上位装置６又は操作部５５の操作に応じて、一時保留部５１から各収納カセット３１に、紙幣を収納するようにしてもよい。
【００６６】
（出金処理）
出金処理は、入出金機１に収納されている紙幣を払い出す処理であり、出金処理手段７２が実行する。具体的には、上位装置６及び／又は操作部５５において出金金額を指定することで、入出金機１が最小構成枚数の金種と枚数を自動的に設定するか、又は、金種と枚数を直接指定する、所定の出金操作を行うことによって出金処理は開始する。収納部３は、図５に実線の矢印で示すように、指定された金種の紙幣を、それが収納されている収納カセット３１から、指定された枚数だけ繰り出す。紙幣の繰り出しに伴い、在高取得手段７５は、収納部在高を更新する。搬送部４１は、繰り出された紙幣を、ループ搬送路４１１を通じて識別部２５に搬送し、識別部２５が識別と、記番号の読み取りとを行った後に、正常紙幣は、出金口２３１に払い出される。
【００６７】
出金処理時に、識別部２５による識別が不可であったリジェクト紙幣が発生したときに、そのリジェクト紙幣は、図５に破線の矢印で示すように、出金リジェクト一時保留部５１に搬送されて、そこに収納される。また、記番号を読み取ることができなかった紙幣も、出金リジェクト一時保留部５１に収納される。一時保留部５１に収納された紙幣は、必要に応じて、出金処理の終了後に、各収納カセット３１又は回収カセット５３に収納される。
【００６８】
また、出金処理の終了後に、装置内在高管理手段７７は、上位装置６からのコマンドに従って、記憶部５９に記憶している装置内在高を更新すると共に、リスト管理手段７９は、各収納カセット３１の記番号リストを、紙幣の繰り出しに応じて更新する。
【００６９】
（精査処理）
精査処理は、収納カセット３１に収納している紙幣を確定させるための処理であって、この入出金機１では、収納カセット３１内に収納されている紙幣を、一旦、全て繰り出して行う全精査処理と、収納カセット３１内に収納されている紙幣の一部のみを繰り出して行う部分精査処理との２種類の処理が存在している。精査処理手段７３は、全精査処理及び部分精査処理の双方を実行する。
【００７０】
この内、全精査処理は、収納カセット３１が装置から取り外されて、そこに設けられている扉が一旦開けられたことを検知したときに行われる処理である。これは、収納カセット３１が開けられたときには、そこに収納されていた紙幣の一部が抜き取られたり、また、その順番が入れ替えられたりする可能性があり、その収納カセット３１内に収納されている紙幣の枚数や順番が不確定になるためである。また、収納カセット３１が交換された場合にも全精査処理が行われる。さらに、収納カセット３１内の紙幣は確定しているものの、計数及び記番号の読み取りをし直して再確定を行うべく、例えば上位装置６において、全精査処理の実行が指定された場合も、全精査処理は行われる。こうした全精査処理は、個々の収納カセット３１について個別に行われる場合と、全ての収納カセット３１について、順次行われる場合とがある。
【００７１】
全精査処理は具体的に、図６の（ａ）に示すように、精査対象の収納カセット３１（図例では、第１収納カセット３１−１が精査対象のカセットである）から、紙幣を一枚ずつ繰り出す。搬送部４１は、繰り出された紙幣を、ループ搬送路４１１を通じて識別部２５に搬送し、識別部２５が識別及び計数、並びに、記番号の読み取りを行う。正常紙幣でかつ、記番号の全桁を読み取ることができた紙幣は、図６に実線の矢印で示すように、一時保留部５１へと搬送されて、そこに収納される。一方、リジェクト紙幣は、図６に破線の矢印で示すように、出金口２３１へと搬送され、そこに払い出される。
【００７２】
そうして、精査対象の収納カセット３１内に収納されている紙幣が全て繰り出され、それの計数が完了した後には、図６の（ｂ）に示すように、一時保留部５１に収納されている紙幣が一枚ずつ繰り出されて、ループ搬送路４１１を通じて識別部２５に搬送される。そうして、識別部２５において再度、識別及び計数、並びに、記番号の読み取りが行われた後に、正常紙幣は、元の収納カセット３１、つまり、精査対象の収納カセット３１に収納される。こうして、収納カセット３１に収納している紙幣が確定し、装置内在高管理手段７７及び在高取得手段７５は、記憶部５９に記憶している装置内在高及び収納部在高をそれぞれ更新すると共に、リスト管理手段７９は、その収納カセット３１の記番号リストを更新する。
【００７３】
これに対し、部分精査処理は、収納カセット３１からの紙幣の搬送中や、収納カセット３１への紙幣の搬送中に異常が発生した場合に行われる。こうした異常によって、収納カセット３１内に収納している紙幣の枚数に誤差が発生する場合があるため、収納カセット３１内に収納している紙幣を確定させる必要がある。ここでいう異常としては、例えば出金処理時に、複数の紙幣が重なって繰り出されたことを識別部２５が検出した場合（重送）や、入金処理時に、搬送中の紙幣が詰まった（ジャム）場合を例示することができる。
【００７４】
出金処理時に重送が生じたときには、収納カセット３１から繰り出した紙幣の枚数が不確定になるため、出金処理後の収納カセット３１の在高が未確定になる。そのため、重送が発生した収納カセット３１の全てに対して部分精査処理を行い、各収納カセット３１の、少なくとも在高を確定させる必要がある。
【００７５】
また、入金処理時にジャムが発生すると、紙幣をオペレータが取り除いてジャムを解除する必要がある。ジャムの発生が収納カセット３１の入口付近であると、収納カセット３１に収納済みと判定されている紙幣を取り除いてしまい、収納カセット３１内の紙幣の枚数に誤差が生じる場合がある。そのため、こうした異常によって誤差が生じた可能性のある収納カセット３１の精査処理をしなければならない。
【００７６】
ここで、部分精査処理は、前述した記番号リストを利用することによって、収納カセット３１に収納している紙幣の一部のみを繰り出すだけで、その収納カセット３１に収納している紙幣を確定させる処理であり、全精査処理と比較して精査処理の負担が軽減されると共に、処理に要する時間が大幅に短縮されるという利点がある。つまり、収納カセット３１から繰り出した紙幣の記番号を読み取ることにより当該紙幣を特定することが可能である一方で、記番号リストは紙幣の収納順に記番号を並べているため、読み取った記番号と記番号リストとを照合することによって、繰り出した紙幣をリスト上で特定することが可能になり、そのことで、収納カセット３１から未だ繰り出されずに、そこに収納されている紙幣を確定することができるのである。
【００７７】
しかしながら、スタック式の収納カセット３１は、紙幣を収納する際に紙幣の順番が入れ替わってしまう場合があり、その場合、識別部２５の通過順に従う記番号リストの順番と、収納カセット３１に実際に収納されている紙幣の順番とが一致しなくなる。そのため、収納カセット３１から紙幣を一枚だけ繰り出して、それの記番号を特定したとしても、その紙幣の順番が入れ替わっていると、収納カセット３１内の紙幣を正確に確定させることはできない。
【００７８】
そこで、この入出金機１が実行する部分精査処理は、紙幣の順番の入れ替わりに対応することができるように、複数枚の紙幣の記番号の照合を行って確定処理を行う点が特徴である。次に、この部分精査処理の手順について、図７を参照しながら説明する。
【００７９】
精査処理手段７３は、部分精査処理時には、最低２枚の紙幣を精査対象の収納カセット３１から繰り出す。この入出金機１では、紙幣の入れ替わりの最大数を５とみなして、繰り出し枚数を５枚に設定している。尚、後述する記番号の読み取りは、全桁または一部の桁で行われる。
【００８０】
搬送部４１は、収納カセット３１から繰り出した紙幣を、全精査処理と同様に、識別部２５へ搬送し、識別部２５は、紙幣の識別をリアルタイムに行う。正常紙幣でかつ、記番号の読み取りが可能であった紙幣は、一時保留部５１に搬送してそこに収納する（図６の（ａ）参照）。リジェクト紙幣は一時保留部５１に搬送する。そして、全桁又は一部の桁の記番号の読み取りができた紙幣が５枚連続して収納カセット３１から繰り出されれば、紙幣の繰り出しを中止する。
【００８１】
識別部２５で記番号の読み取り不能が発生した場合、代わりの紙幣が収納カセット３１から追加で繰り出される。例えば、繰り出した５枚のうち、３枚目の紙幣で読み取り不能が発生した場合には、新たに３枚の紙幣が追加され、４枚目から追加分の紙幣を含む連続する５枚の紙幣で部分精査される。また、リジェクト紙幣が発生した場合は、少なくとも５枚の紙幣が追加で繰り出される。
【００８２】
このようにして、図７に示すように、記番号リストとの照合の対象となる５枚の対象グループが決定されれば、記番号リストとの照合を行い、記番号リスト上において、対象グループに対応するグループ（照合グループ）を決定する。この際に記番号の並び順は考慮しない。対象グループは、収納カセット３１から繰り出した紙幣に対応するため、照合グループは、記番号リスト上において、収納カセット３１から繰り出した紙幣と、収納カセット３１に収納したままの紙幣との境界を示すことになる。従って、記番号リスト上において照合グループを特定すれば、その記番号リストに基づいて、収納カセット３１に収納している紙幣を確定することが可能になる。
【００８３】
図７を参照しながら、対象グループと記番号リストとの照合の手順の概略を説明する。例えば、収納カセット３１から繰り出した最後の紙幣を含む連続した５枚の紙幣の記番号である対象グループと記番号リストとの照合について考える。
【００８４】
同図の記番号リストの「１２３４０」等は記番号であり、図の上側が収納順の上位を示している。括弧内の数字は、当該収納カセット３１での通し番号であり、これは収納カセット３１の収納枚数に対応する。識別通過記番号データは、識別部２５において読み取りを行った記番号の情報であり、図の上側は後で繰り出した紙幣である。これは収納順の記番号に相当する。
【００８５】
先ず、記番号リストに含まれる上位の記番号、言い換えると、収納カセット３１において上側に集積されている紙幣から順に、対象グループに含まれる各記番号を照合する。これによって、対象グループの中で、記番号リストにおいて最も上位となる記番号を特定する。図例では「１２３４８」が最上位の記番号である。
【００８６】
決定した最上位の記番号に対し、４枚分だけ下位の記番号（ここでは、最下位の記番号と呼ぶ）を特定する。図例では「１２３４４」が最下位の記番号である。そして、この最下位の記番号と全桁が一致する記番号が、対象グループに含まれているか否かを判定する。このときも、対象グループ内での記番号の順番は問わない。そうして、記番号リストにおける、最上位の記番号と最下位の記番号とで挟まれた３つの記番号について、記番号の順番は問わずに対象グループ内の記番号との照合を行う。このときの照合は記番号の一部の桁のみ一致することを許容する。記番号の照合を、例えば３桁分マスクして行う。つまり、３桁分が一致しなくても、残りの桁が一致すれば、記番号が一致したと判定する。
【００８７】
そうして、同図に示すように、記番号リスト上において、対象グループに含まれる記番号と一致する記番号が全て含まれる照合グループが特定される。その結果、記番号リストにおいて、照合グループを含むそれよりも上位の記番号の情報を削除する記番号リストの更新が行われる。この記番号リストの更新により、収納カセット３１に収納されている紙幣が確定する。
【００８８】
その後は、図６の（ｂ）に示したように、一時保留部５１に収容している紙幣を一枚ずつ繰り出して、識別部２５に搬送する。識別部２５において、紙幣の識別を行い、記番号が読み取られた正常紙幣を元の収納カセット３１に収納する。
【００８９】
尚、部分精査では、収納カセット３１から一時保留部５１へ紙幣を移動させる際、そして、一時保留部５１からから収納カセット３１へ紙幣を移動させる際のそれぞれにおいて、二重に計数処理を行うことができる（一次計数及び二次計数）。そうして、記憶部５９に記憶している、少なくとも収納部在高を更新すると共に、リスト管理手段７９は、精査対象の収納カセット３１の記番号リストを更新し、部分精査処理を終了する。
【００９０】
（入金処理又は出金処理の最中に障害が発生したときの障害復旧に係る制御）
前述した入金処理や出金処理を実行している途中に、例えば紙幣の詰まり（ジャム）等の障害が発生した場合の、障害復旧に係る制御について、図８のフローチャートを参照しながら説明する。このフローは、入金処理又は出金処理の実行開始した後にスタートし、最初のステップＳ１で障害が発生したとする。障害の発生後には入出金機１の動作が停止すると共に、図示は省略するが、障害の復旧を促す画面が、例えば上位装置６の表示部６２等に表示される。オペレータは、入出金機１の扉を開ける等して、装置内のジャム紙幣を取り除き（ステップＳ２）、入出金機１に設けられた、図示省略のリセットボタンを押下することによって入出金機１をリセットする。ジャム紙幣が取り除かれてリセットをするまで、フローはステップＳ２及びＳ３を繰り返し、リセットをしたときにはステップＳ３からステップＳ４に移行する。入出金機１は、リセットボタンが押下されたことを受けて、障害復旧をしたことを上位装置６に通知する。ここでの障害復旧は、ジャム紙幣を取り除く等の物理的な障害復旧が完了したことに相当する。
【００９１】
ジャム紙幣を取り除くことに伴い、精査処理が必要になったときには、ステップＳ４からステップＳ５に移行して、前述した手順に従って、精査処理手段７３は、部分精査処理を実行する。これにより、未確定となっていた収納部在高Ｂが確定する。この部分精査処理は、収納部の在高を確定させる所定処理の一つである。部分精査処理を完了した時点では装置内在高Ａは更新しない。フローはその後、ステップＳ６に移行する。一方、精査処理が不要であるときには、ステップＳ４から、ステップＳ５に移行することなく、ステップＳ６に移行する。
【００９２】
ステップＳ６では、戻し処理手段７４が戻し処理を実行する。ここで言う戻し処理は、現時点で装置外に存在している及び装置外に払い出された紙幣を入金口２１１に投入し、計数を行いながら、収納カセット３１に収納する処理をいう。この戻し処理も、収納部の在高を確定するための所定処理の一つである。具体的に戻し処理において入金口２１１に投入される紙幣は、入金処理の途中に障害が発生したときには、入金対象の紙幣であって未入金の紙幣（つまり、処理の中断時に入金口２１１に残っていた紙幣）、及び、ジャム紙幣等の装置内から取り除いた紙幣を含む。一方、出金処理の途中に障害が発生したときには、出金処理の実行に伴い出金口２３１に既に払い出された紙幣（つまり、処理の中断時に出金口２３１に存在していた出金紙幣の一部）、及び、ジャム紙幣等、装置内から取り除かれた紙幣、並びに、当該出金処理の最中に発生した出金リジェクト紙幣（つまり、出金リジェクト一時保留部５１に収納されかつ、部分精査処理の実行に先立って出金口２３１に払い出された紙幣）が、戻し処理時に入金口２１１に投入される。
【００９３】
ステップＳ６の戻し処理においては、収納カセット３１に収納する紙幣の計数が、識別部２５及び通過センサ３１２で行われる結果、ステップＳ５で確定した収納部在高Ｂが更新されることになる。そうして、続くステップＳ７では、在高比較手段７８が、中断した入金又は出金処理の実行前に取得していた収納部在高Ｂ’と、ステップＳ６の戻し処理が完了したときの収納部在高Ｂとを比較する。収納部在高Ｂ’と収納部在高Ｂとの比較は、収納カセット毎（又は金種毎）に行われる。
【００９４】
収納部在高Ｂ’と収納部在高Ｂとが同じであるとき（Ｂ’＝Ｂ）には、入金処理及び出金処理も行われなかったことと等価であり、そのままステップＳ８に移行して、障害復旧を完了する。
【００９５】
一方、収納部在高Ｂ’が収納部在高Ｂよりも少ないとき（Ｂ’＜Ｂ）には、処理前に取得していた収納部在高Ｂ’よりも、収納部３内に実際に収納されている紙幣の在高Ｂの方が多いことから、装置内在高管理手段７７は、入金処理が実行されたとみなして、装置内在高Ａを更新し（ステップＳ９）、ステップＳ８に移行して障害復旧を完了する。尚、出金処理が中断した場合においては、戻し処理時に、中断前に出金口２３１に繰り出した紙幣の枚数よりも多い枚数の紙幣の受付を行わない（リジェクト紙幣として出金口２３１に払い出す）ことによって、Ｂ’＜Ｂとなることは起こり得なくなる。
【００９６】
これに対し、収納部在高Ｂ’が収納部在高Ｂよりも多いとき（Ｂ’＞Ｂ）には、何らかの理由（例えば紙幣の破損等により、装置内に戻すことができない等）によって装置内に存在していた紙幣が、装置内に存在しなくなったことになる。このような場合には、ステップＳ１０において、仮想在高設定手段７６が、仮想的な在高Ｃを、Ｃ＝Ｂ’−Ｂとして設定し、障害復旧を完了する（ステップＳ８）。仮想在高Ｃは、装置内には存在していないものの、装置内に存在していると取り扱うべき紙幣の在高に相当する。装置内在高管理手段７７は、収納部在高Ｂと仮想在高Ｃとの合計を装置内在高Ａとして管理する。
【００９７】
こうした仮想在高を設定することによって、例えば、収納することができない紙幣に代わる代替紙幣を準備してその代替紙幣を収納するような手間を省いて、障害復旧を速やかに完了させることが可能になる。これは、例えば金融機関等の窓口業務においては、業務の停滞を回避して、窓口業務をスムースに遂行する上で、有利になる。
【００９８】
一方で、収納部３に実際に収納している紙幣の在高は、収納部在高Ｂとして管理していると共に、これとは別に仮想在高Ｃを管理しているため、装置内在高Ａの管理は適正化する。このことは特に、出金処理を実行する際に、装置内在高Ａが、その出金処理を完了させることが可能であるか否か（つまり、出金に必要な枚数の紙幣が装置内に存在しているか否か）を正確に判断することを可能にする。したがって、出金処理の最中に紙幣が不足してしまうことが未然に回避される。
【００９９】
このように入出金機１は、収納部在高Ｂと仮想在高Ｃとの合計を装置内在高Ａとして管理している一方で、上位装置６に対しては、装置内在高Ａの情報のみを、通信部５７を介して提供する。つまり、入出金機１の装置内在高管理手段７７は、収納部在高Ｂと仮想在高Ｃとを区別することなく、装置内在高Ａの情報を送信する。従って、上位装置６は、仮想在高Ｃが設定されているとしても、その仮想在高Ｃを認識することなく、各種処理を実行することが可能になる。尚、これとは異なり、入出金機１は、装置内在高Ａ、収納部在高Ｂ及び仮想在高Ｃの全ての情報を、上位装置６に提供してもよい。つまり、入出金機１の装置内在高管理手段７７は、収納部在高Ｂと仮想在高Ｃとを区別して、装置内在高Ａの情報を送信してもよい。
【０１００】
尚、仮想在高は、適宜のタイミングで、仮想在高に対応する紙幣を入金させるか、又は、オペレータが上位装置６及び／又は操作部５５を操作することに伴い装置内在高を更新する（仮想在高の分だけ減らす）か、によって０にすればよい。
【０１０１】
次に、前述した障害復旧に係る制御について、図９に示す在高の変化に関する具体例を参照しながら説明する。図９は、入金処理時に障害が生じて処理を中断した場合を例にした、在高の遷移の一例を示している。先ず、装置内在高Ａが０の状態で、１ドル紙幣が１０枚、５ドル紙幣が２０枚、１０ドル紙幣が３０枚、２０ドル紙幣が４０枚、５０ドル紙幣が５０枚、及び１００ドル紙幣が６０枚の入金処理が行われたとする。この入金処理は中断することなく終了し、それによって、１ドル紙幣を収納するように設定された第１収納カセット３１−１に１ドル紙幣が１０枚、５ドル紙幣を収納するように設定された第２収納カセット３１−２に５ドル紙幣が２０枚、１０ドル紙幣を収納するように設定された第３収納カセット３１−３に１０ドル紙幣が３０枚、２０ドル紙幣を収納するように設定された第４収納カセット上部３１−４Ｕに２０ドル紙幣が４０枚、５０ドル紙幣を収納するように設定された第４収納カセット下部３１−４Ｌに５０ドル紙幣が５０枚、１００ドル紙幣を収納するように設定された第５収納カセット３１−５に１００ドル紙幣が６０枚、それぞれ収納される。この時点において、入金処理の最中に、紙幣が収納カセット３１に収納される毎に積算される収納部在高Ｂと、入金処理の完了後に、上位装置６からのコマンドにより設定（又は更新）される装置内在高Ａとは互いに一致する。
【０１０２】
次に、２０ドル紙幣を２０枚出金する処理が実行される。この出金処理の最中に、５枚の２０ドル紙幣がリジェクト紙幣と識別されたとする。これにより、２０ドル紙幣を収納する第４収納カセット下部３１−４Ｕから、合計２５枚の２０ドル紙幣が繰り出されると共に、その内の２０枚が出金口２３１に払い出される一方、リジェクト紙幣である５枚の２０ドルは、一時保留部５１に収納される。その結果、収納部在高Ｂにおいて第４収納カセット下部３１−４Ｕの在高は、４０枚から２５枚を差し引いた１５枚になる一方、一時保留部５１の在高Ｄは、２０ドル紙幣が５枚となり、さらに、装置内在高Ａは２０ドル紙幣が２０枚となる（つまり、２０ドル紙幣の装置内在高Ａは、収納部在高Ｂと一時保留部在高Ｄとの和である）。
【０１０３】
続いて、１ドル紙幣１０枚の入金処理が行われるとし、その入金処理の最中、具体的には、第１収納カセット３１−１の通過センサ３１２が、５枚の紙幣の収納をカウントした時点で、障害が発生したとする。第１収納カセット３１−１の在高Ｂは、１５となる一方、入金処理が完了していないため、１ドル紙幣の装置内在高Ａは１０枚のままである。
【０１０４】
前述の通り、障害の発生後には、ジャム紙幣が取り除かれることで、物理的な障害復旧が完了する。例えば第１収納カセット３１−１の紙幣出入口付近で詰まったジャム紙幣が取り除かれたときには、第１収納カセット３１−１の在高Ｂは、未確定となり、精査処理の実行が必要になる（図９の例では、未確定であることをアスタリスクを付けることで示している）。
【０１０５】
第１収納カセット３１−１の在高が未確定であるため、第１収納カセット３１−１についての部分精査処理を行う。この部分精査処理の実行に際し一時保留部５１を利用するため、原則的には、精査処理の実行に先立って、一時保留部５１に収納されている紙幣を出金口２３１に払い出す。但し、この例では、一時保留部５１に収納されている５枚のリジェクト紙幣は、障害が発生した処理以前に収納されたものであるため、出金口２３１に払い出さない。従って、一時保留部５１の在高Ｄはそのまま維持される。
【０１０６】
その後、前述した手順に従って部分精査処理が実行される結果、第１収納カセット３１−１の在高が１６枚で確定するとする。この時点では、装置内在高Ａは更新されない。
【０１０７】
その部分精査処理を行った後に、戻し処理を実行する。この戻し処理では、未入金の１ドル紙幣、及び、装置内から取り出した１ドル紙幣（この例では、合計４枚）が入金口２１１に投入される。戻し処理では、これらの紙幣の計数を行いながら、第１収納カセット３１−１に１ドル紙幣を収納する。戻し処理により第１収納カセット３１−１の在高（１ドル紙幣の在高）は１６枚から４枚増えて２０枚になる。
【０１０８】
その戻し処理の終了後、処理開始前に取得していた収納部在高Ｂ’と、部分精査処理及び戻し処理の双方が終了した時点の収納部在高Ｂとを比較する。図例では、１ドル紙幣は、収納部在高Ｂ’が１０枚であるのに対し、収納部在高Ｂが２０枚であるため、図８のフローのステップＳ７においてＢ’＜Ｂに相当する。この場合、収納部在高Ｂと収納部在高Ｂ’との差分の１０枚を入金処理とし、装置内在高Ａを、例えば上位装置６からのコマンドに基づいて更新する。この例では、１ドル紙幣の装置内在高Ａを２０枚に更新する。
【０１０９】
次に、図１０を参照しながら、出金処理時に障害が生じて中断した場合の障害復旧に係る制御について説明する。先ず、装置内在高Ａが０の状態で、１ドル紙幣が１０枚、５ドル紙幣が２０枚、１０ドル紙幣が３０枚、２０ドル紙幣が４０枚、５０ドル紙幣が５０枚、及び１００ドル紙幣が６０枚の入金処理が行われる点は、図９の例と同じである。これによって、１ドル紙幣を収納するように設定された第１収納カセット３１−１に１ドル紙幣が１０枚、５ドル紙幣を収納するように設定された第２収納カセット３１−２に５ドル紙幣が２０枚、１０ドル紙幣を収納するように設定された第３収納カセット３１−３に１０ドル紙幣が３０枚、２０ドル紙幣を収納するように設定された第４収納カセット上部３１−４Ｕに２０ドル紙幣が４０枚、５０ドル紙幣を収納するように設定された第４収納カセット下部３１−４Ｌに５０ドル紙幣が５０枚、１００ドル紙幣を収納するように設定された第５収納カセット３１−５に１００ドル紙幣が６０枚、それぞれ収納される。装置内在高Ａと収納部在高Ｂとは互いに一致している。
【０１１０】
次に、図９と同様に、２０ドル紙幣を２０枚出金する処理を実行する。この出金処理の最中に、５枚の２０ドル紙幣がリジェクト紙幣と識別されることにより、出金リジェクト一時保留部５１に収納される点も図９と同じである。これにより、第４収納カセット下部３１−４Ｕの在高Ｂは１５枚になり、一時保留部在高Ｄは、２０ドル紙幣が５枚となり、２０ドル紙幣の装置内在高Ａは２０枚となる。
【０１１１】
続いて、１ドル紙幣１０枚の出金処理が行われるとし、その出金処理の最中、具体的には、第１収納カセット３１−１の通過センサ３１２が、６枚の紙幣の繰り出しをカウントした時点で、障害が発生したとする。尚、６枚の１ドル紙幣の内の１枚は、出金リジェクトとなったとする。第１収納カセット３１−１の在高Ｂは４枚になる一方で、出金処理が完了していないため、１ドル紙幣の装置内在高Ａは１０枚のままである。また、一時保留部５１の在高Ｄは、１ドル紙幣が１枚になる。そうして、ジャム紙幣が取り除かれて物理的な障害復旧が完了した後、第１収納カセット３１−１の在高が未確定になったとする。
【０１１２】
第１収納カセット３１−１の在高が未確定であるため、第１収納カセット３１−１についての部分精査処理を実行する。尚、この部分精査処理の実行に際し、一時保留部５１に収納しているリジェクト紙幣の内、当該処理時に発生したリジェクト紙幣（ここは、１ドル紙幣１枚）が、出金口２３１に払い出される。その後、前述した手順に従って部分精査処理が実行される結果、第１収納カセット３１−１の在高が４枚で確定するとする。これにより、装置外には、出金口２３１に既に払い出された１ドル紙幣（リジェクト紙幣も含む）と、装置内から取り除いた１ドル紙幣との合計として、６枚の１ドル紙幣が存在している。
【０１１３】
その後の戻し処理では、前述の通り、原則的には６枚の１ドル紙幣が入金口２１１に投入されることになる。但し、この例では、１ドル紙幣の内の１枚が、何らかの理由で入金口２１１に投入されず、５枚の１ドル紙幣が入金口２１１に投入されたとする。そうして、これらの紙幣の計数を行いながら、第１収納カセット３１−１に１ドル紙幣を収納する。そのため、戻し処理により第１収納カセット３１−１の在高装置内在高Ｂ（１ドル紙幣の在高）は４枚から５枚増えて９枚になる。
【０１１４】
その戻し処理の終了後、処理前に取得していた収納部在高Ｂ’と、精査処理及び戻し処理の双方が終了した時点の収納部在高Ｂを比較する。１ドル紙幣は、収納部在高Ｂ’が１０枚であるのに対し、収納部在高Ｂが９枚であるため、図８のフローのステップＳ７においてＢ’＞Ｂに相当する。収納部在高Ｂ’と収納部在高Ｂとの差分の１枚を仮想在高Ｃに設定し、１ドル紙幣の装置内在高Ａは１０枚のままで維持する。
【０１１５】
尚、入金処理時に障害が生じて処理を中断した前記の例においては、仮想在高が発生しない場合を記載しているが、収納部３の入り口でジャム紙幣が発生したときに、オペレータが誤って、収納部内の紙幣を必要以上に取り出してしまった場合などには、入金処理の中断後に仮想在高が発生することもある。
【０１１６】
また、出金処理時に障害が生じて中断したときの戻し処理において、オペレータが誤って、必要以上の紙幣を入金口に投入してしまった場合などには、Ｂ’＜Ｂとなり、入金処理が行われたとみなして装置在高Ａが更新されることもある。
【０１１７】
尚、前記の構成では、図８に示すフローチャートのステップＳ６において戻し処理を必ず行っているが、戻し処理を省略してもよい。戻し処理の省略は、仮想在高を増やす場合がある一方で、仮想在高が増えたとしても、装置内在高の適正な管理は可能である。また、図８に示すフローチャートのステップＳ５においては、部分精査処理の代わりに、全精査処理を行ってもよい。
【０１１８】
また、ここに開示する技術は、金融機関等に設定される入出金機の他にも、種々の入出金機に広く適用することが可能である。
【０１１９】
さらに、ここに開示する技術は、紙幣入出金機の他にも、硬貨入出金機に適用してもよいし、紙幣及び硬貨を含む貨幣入出金機に適用してもよい。
【符号の説明】
【０１２０】
１    入出金機（貨幣入出金装置）
２１１  入金口
３  収納部
７１  入金処理手段
７２  出金処理手段
７３  精査処理手段（在高確定手段）
７４  戻し処理手段（在高確定手段）
７５  在高取得手段
７６  仮想在高設定手段
７７  装置内在高管理手段
７８  在高比較手段
７９  リスト管理手段
【図１】
2014106791.tif 000003
【図２】
2014106791.tif 000004
【図３】
2014106791.tif 000005
【図４】
2014106791.tif 000006
【図５】
2014106791.tif 000007
【図６】
2014106791.tif 000008
【図７】
2014106791.tif 000009
【図８】
2014106791.tif 000010
【図９】
2014106791.tif 000011
【図１０】
2014106791.tif 000012